(57)【要約】【課題】本発明の目的は、１つの光源部を備え、表示部と受光部の２つの用途で用いることができる表示入力装置を提供する。【解決手段】表示部１０を備える操作部２０と、表示部１０に対して光を照射する光源部３０と、光源部３０からの光を受光する受光素子４１、４２、４３、４４、４５を複数備える受光部４０と、受光部４０の出力に基づいて操作部２０の操作状態を検出する検出制御部を備えた制御部５０と、を有し、操作部２０の一部は、光源部３０からの光を受光部４０に向けて反射する反射部２０ｅを備えて表示入力装置１を構成する。これにより、１つの光源部を表示部と受光部の２つの用途で用いることができるようにする。【選択図】図１
2019211859.tif 000002
【特許請求の範囲】
【請求項１】
表示部を備える操作部と、
前記表示部に対して光を照射する光源部と、
前記光源部からの光を受光する受光素子を複数備える受光部と、
前記受光部の出力に基づいて前記操作部の操作状態を検出する検出制御部を備えた制御部と、を有し、
前記操作部の一部は、前記光源部からの光を前記受光部に向けて反射する反射部を備えている、表示入力装置。
【請求項２】
前記制御部は、前記複数の受光素子が初期状態で受光する結果に基づいて、前記受光部の初期設定を実行する、請求項１に記載の表示入力装置。
【請求項３】
前記受光部は、前記複数の受光素子の出力に基づいて、前記操作部の操作量を検出する、請求項１又は２に記載の表示入力装置。
【請求項４】
前記受光部は、前記複数の受光素子の出力分布に基づいて、前記操作部の操作方向を検出する、請求項１から３のいずれか１項に記載の表示入力装置。
【発明の詳細な説明】
【技術分野】
【０００１】
本発明は、表示入力装置に関する。
【背景技術】
【０００２】
従来の技術として、底面部及び側壁部から成るホルダーと、底部に光反射部を有し、ホルダー内でバネの付勢力に抗して押下操作可能な操作部と、光反射部と対向する底面部内側表面に設けられた発光素子と、光反射部と対向する側壁部内側表面に設けられた受光素子とを備えた入力装置が知られている（例えば、特許文献１参照）。
【０００３】
この入力装置は、複数の受光素子を並べて配置し、受光素子の受光位置の変化により、オンオフの切り替えや、スライドスイッチのように複数の値の切り替え操作に対応できるとされている。
【先行技術文献】
【特許文献】
【０００４】
【特許文献１】特開２００８−１３０３６２号公報
【発明の概要】
【発明が解決しようとする課題】
【０００５】
特許文献１の装置は、発光素子の出射する光を複数の受光素子で受光し、その位置の変化により操作部の操作状態を検出するが、この操作状態を検出するためだけに発光素子を備える必要があるという問題があった。
【０００６】
したがって、本発明の目的は、１つの光源部を備え、表示部と受光部の２つの用途で用いることができる表示入力装置を提供することにある。
【課題を解決するための手段】
【０００７】
［１］上記目的を達成するため、表示部を備える操作部と、前記表示部に対して光を照射する光源部と、前記光源部からの光を受光する受光素子を複数備える受光部と、前記受光部の出力に基づいて前記操作部の操作状態を検出する検出制御部を備えた制御部と、を有し、前記操作部の一部は、前記光源部からの光を前記受光部に向けて反射する反射部を備えている、表示入力装置を提供する。
［２］前記制御部は、前記複数の受光素子が初期状態で受光する結果に基づいて、前記受光部の初期設定を実行する、上記［１］に記載の表示入力装置であってもよい。
［３］また、前記受光部は、前記複数の受光素子の出力に基づいて、前記操作部の操作量を検出する、上記［１］又は［２］に記載の表示入力装置であってもよい。
［４］また、前記受光部は、前記複数の受光素子の出力分布に基づいて、前記操作部の操作方向を検出する、上記［１］から［３］のいずれか１に記載の表示入力装置であってもよい。
【発明の効果】
【０００８】
本発明の表示入力装置によれば、１つの光源部を備え、表示部と受光部の２つの用途で用いることができる。
【図面の簡単な説明】
【０００９】
【図１】図１は、本発明の実施の形態に係る表示入力装置の概略構成を示すブロック構成図である。
【図２】図２は、本発明の実施の形態に係る表示入力装置における受光部の受光位置の初期設定の説明図である。
【図３】図３は、本発明の実施の形態に係る表示入力装置における表示部の変位量と光路の変位量との関係を示す図である。
【図４】図４は、本発明の実施の形態に係る表示入力装置におけるフォトダイオードアレイの検出値の例である。
【図５】図５は、本発明の実施の形態に係る表示入力装置におけるフォトダイオードアレイの検出値の分布の例であって、図５（ａ）は、引っ張り操作時の検出値の分布例であり、図５（ｂ）は、操作がない時の出力分布例であり、図５（ｃ）は、押下操作時の検出値の分布例である。
【発明を実施するための形態】
【００１０】
（本発明の実施の形態に係る表示入力装置）
本発明の実施の形態に係る表示入力装置１は、図１に示すように、表示部１０を備える操作部２０と、表示部１０に対して光を照射する光源部３０と、光源部３０からの光を受光する受光素子４１、４２、４３、４４、４５を複数備える受光部４０と、受光部４０の出力に基づいて操作部２０の操作状態を検出する検出制御部を備えた制御部５０と、を有し、操作部２０の一部は、光源部３０からの光を受光部４０に向けて反射する反射部２０ｅを備えて構成されている。
【００１１】
本発明の実施の形態に係る表示入力装置１は、１つの光源部３０と、複数の受光素子を備えた受光部４０で構成され、１つの光源部３０は、表示部１０の照明に使用されると共に、受光部４０へ反射される光に使用され、２つの用途で用いられる。なお、受光素子は、図１では、５つの受光素子としたが２以上の複数個であれば数は限定されない。
【００１２】
（表示部１０、操作部２０）
表示部１０は、図１に示すように、操作部２０の一部に設けられ、光源部３０から照射される光Ｌ０により照明されて表示される。操作部２０は、図１に示すように、光源部３０から照射される光Ｌ０を透過するアクリル樹脂等の透明材料からなる操作パネルであり、表示部１０が形成される基材としての役割を果たす。なお、操作部２０は、光Ｌ０の一部を透過すればよく、不透明材料以外の透明材料、半透明材料でよい。また、拡散材を内部に含むものでもよい。
【００１３】
表示部１０は、所定のマーク、文字、数字等が形成された部分である。表示部１０は、例えば、操作部２０の表面２０ａに黒色の塗装を施し、その塗装の一部をレーザ加工等により除去して透過部２０ｂを形成し、残った塗装部分を遮光部２０ｃとすることにより形成される。透過部２０ｂは、上記の所定のマーク、文字、数字等を構成する。光源部３０から照射される光Ｌ０は、操作部２０内を透過して、透過部２０ｂから光を出射することにより、上記の所定のマーク、文字、数字等を表示する。
【００１４】
操作部２０は、図１に示すように、例えば、アクリル樹脂等により板状に形成されている。操作部２０の縁部２０ｄは、筐体部７０の側部７１に両側支持されている。すなわち、操作部２０は、両端支持の梁構造とされており、下側及び上側に撓むことができる構成とされている。
【００１５】
操作部２０の下面は、光源部３０から照射される光Ｌ０を反射する反射部２０ｅとされている。この反射部２０ｅは、光源部３０から照射される光Ｌ０の一部を反射し、残りの光を操作部２０の内部へ透過させる。反射部２０ｅは、例えば、アクリル樹脂の表面そのままであってもよく、また、所定の反射率で光を反射させる反射層であってもよい。
【００１６】
（光源部３０）
光源部３０は、図１に示すように、筐体部７０のベース部７２に載置され、概略表示部１０に向かって光を照射するインジケータ用の発光ダイードを使用する。この光源部３０は、表示部１０の表示の色に合わせて、種々のＬＥＤを使用することが可能である。
【００１７】
また、このインジケータ用の発光ダイードは、受光部４０において受光素子で受光することから、所定の指向特性を有するものが好ましい。光源部３０は、受光部４０において検出可能な波長の光であって、例えば、±１０ｄｅｇ程度の狭指向性のＬＥＤが好ましい。
【００１８】
（受光部４０）
受光部４０は、図１に示すように、受光素子が並列に並べられた構成とされている。受光部４０は、例えば、筐体部７０のベース部７２に載置されたフォトダイオードアレイである。フォトダイオードアレイは、基板上にフォトダイオードが並べて実装され、高速・高感度に光の並列検知が可能なデバイスである。
【００１９】
本実施の形態では、例えば、図１、３に示すように、ＦＤ１、ＦＤ２、ＦＤ３、ＦＤ４、ＦＤ５の５つの受光素子４１、４２、４３、４４、４５が並べられて、操作部２０の反射部２０ｅで反射した光を受光し、受光量に対応した電圧を検出値として出力する。
【００２０】
（制御部５０）
制御部５０は、図１に示すように、光源制御部５２、受光制御部５４等を有して構成されている。制御部５０は、上記の光源制御部５２、受光制御部５４等を制御し、所定の判断処理等をするために、記憶されたプログラムに従って、取得したデータに演算、加工などを行うＣＰＵ（Central Processing Unit）、半導体メモリであるＲＡＭ（Random Access Memory）及び記憶部としてのＲＯＭ（Read Only Memory）などから構成されるマイクロコンピュータを備えている。
【００２１】
光源制御部５２は、光源部３０を所定の光量で発光させて、表示部１０に光を照射して所定のマーク、文字、数字等を表示させるための制御を行なう。なお、この光源部３０の光は、受光部４０でも受光されて操作部２０の操作状態を検出するために使用される。
【００２２】
受光制御部５４は、各受光素子４１、４２、４３、４４、４５の検出値を取り込んで、種々の演算、処理を行なうものである。
【００２３】
（受光部の初期設定動作）
受光制御部５４は、複数の受光素子が初期状態で受光する結果に基づいて、受光部の初期設定を実行することができる。図２は、本発明の実施の形態に係る表示入力装置における受光部の受光位置の初期設定の説明図である。
【００２４】
図２において、光源部３０から出射された光Ｌ０は、組み付け位置（設計値）での反射部２０ｅにおいて点Ｐ０１で反射されて反射光Ｌ１となる。この反射光Ｌ１は、設計値では、受光部４０の中央の受光素子ＦＤ３（４３）に大部分の光が入射するように設計されている。
【００２５】
しかし、組み付け誤差等により、組み付け後の実際の位置は、図２に示すように、その反射部２０ｅがズレた位置になる場合がある。光源部３０から出射された光Ｌ０は、組み付け後の実際の位置での反射部２０ｅにおいて点Ｐ０２で反射されて反射光Ｌ２となる。この反射光Ｌ２は、例えば、図２に示すように、受光素子ＦＤ２（４２）に大部分の光が入射する。このような状態において、受光制御部５４は、例えば、受光素子４１、４２、４３、４４、４５の検出値が最大になる受光素子を受光の初期位置として設定することができる。
【００２６】
あるいは、受光制御部５４は、例えば、受光素子４１、４２、４３、４４、４５の検出値を間の値を内挿により補間して、その最大値となる位置を受光の初期位置として設定することもできる。
【００２７】
（操作部２０の操作量の検出動作）
操作部２０を、例えば、図１に示す下方向に押下操作すると、操作部２０は下方向に撓む。ここで、図３は、本発明の実施の形態に係る表示入力装置における表示部の変位量と光路の変位量との関係を示す図である。受光部は、複数の受光素子の出力に基づいて、操作部の操作量を検出することができる。
【００２８】
図３に示すように、通常時の反射部２０ｅで光源部３０から出射された光Ｌ０が点Ｐ０１で反射すると、入射角φと同じ出射角φで反射する。この反射した光はＬ１となって受光部４０に入射する。
【００２９】
ここで、図３に示すように、操作部２０を操作、例えば、押下操作により、反射部２０ｅが下方向に変位量Ｓで変位したとする。この状態では、光源部３０から出射された光Ｌ０は点Ｐ０２で反射し、入射角φと同じ出射角φで反射する。この反射した光はＬ２となって受光部４０に入射する。
【００３０】
図３に示すように、操作部２０の操作により反射部２０ｅが変位量Ｓで変位すると、光路の変位量Ｄは、Ｄ＝２ｔａｎφとなる。例えば、φ＝４５ｄｅｇ、Ｓ＝１００μｍのとき、光路の変位量Ｄは、２００μｍとなる。
【００３１】
図４は、本発明の実施の形態に係る表示入力装置におけるフォトダイオードアレイの検出値の例である。制御部５０は、光源制御部５２により、受光部４０からの出力を取り込む。受光素子４１、４２、４３、４４、４５の検出値は、例えば、図４に示すように、各受光素子（フォトダイオードＦＤ）の出力値として検出できる。この出力値は、前述した受光部の初期設定値で補正することにより、正確に検出することが可能になる。
【００３２】
例えば、制御部５０は、図４に示すような、受光素子４１、４２、４３、４４、４５の検出値に基づいて、前述した光路の変位量Ｄを求めることができる。制御部５０は、この変位量Ｄに基づいて、前述した変位量Ｓ、操作部２０の操作量を演算により求めることができる。すなわち、操作状態を検出できる。
【００３３】
また、受光素子４１、４２、４３、４４、４５の検出値を内挿により補間することにより各受光素子間の検出値を求めることができ、これに基づいて、前述した光路の変位量Ｄを求めることができる。この変位量Ｄに基づいて、前述した変位量Ｓ、すなわち、操作部２０の操作量を精度よく求めることも可能である。
【００３４】
制御部５０は、例えば、操作部２０の操作量が所定の閾値を超えた場合に、操作部２０が押下操作されたと判定することができる。
【００３５】
（操作部２０の操作方向の検出動作）
図５は、本発明の実施の形態に係る表示入力装置におけるフォトダイオードアレイの検出値の分布の例であって、図５（ａ）は、引っ張り操作時の検出値の分布例であり、図５（ｂ）は、操作がない時の出力分布例であり、図５（ｃ）は、押下操作時の検出値の分布例である。受光部は、複数の受光素子の出力分布に基づいて、操作部の操作方向を検出することができる。
【００３６】
図１に操作部２０を実線で示す場合は、操作部２０の反射部２０ｅで反射する光は、受光部４０の中央付近に入射する。すなわち、操作部２０への操作力が作用しない場合は、図５（ｂ）で示すように、操作がない時の検出値の分布例のようになる。すなわち、フォトダイオードアレイのＦＤ３付近の検出値が大きく、周辺であるＦＤ１、ＦＤ５の検出値が小さい。このような検出値の分布の場合には、制御部５０は、操作部２０の操作がないと判定することができる。
【００３７】
図５（ａ）に示すように、フォトダイオードアレイのＦＤ５の検出値が大きく、順に、ＦＤ４、ＦＤ３、ＦＤ２、ＦＤ１と検出値が小さくなっている場合は、制御部５０は、図１に示す上方向に操作力Ｆが作用した判定することができる。すなわち、制御部５０は、上記示したような検出値の分布に基づいて、操作部２０における上方向への操作状態を検出できる。
【００３８】
また、図５（ｃ）に示すように、フォトダイオードアレイのＦＤ１の検出値が大きく、順に、ＦＤ２、ＦＤ３、ＦＤ４、ＦＤ５と検出値が小さくなっている場合は、制御部５０は、図１に示す下方向に操作力Ｆが作用した判定することができる。すなわち、制御部５０は、上記示したような検出値の分布に基づいて、操作部２０における下方向への操作状態を検出できる。
【００３９】
（実施の形態の効果）
本発明の実施の形態によれば、以下のような効果を有する。
（１）本発明の実施の形態に係る表示入力装置１は、表示部１０を備える操作部２０と、表示部１０に対して光を照射する光源部３０と、光源部３０からの光を受光する受光素子４１、４２、４３、４４、４５を複数備える受光部４０と、受光部４０の出力に基づいて操作部２０の操作状態を検出する検出制御部を備えた制御部５０と、を有し、操作部２０の一部は、光源部３０からの光を受光部４０に向けて反射する反射部２０ｅを備えて構成されている。これにより、１つの光源部３０を、表示部１０の照明に使用すると共に、受光部４０へ反射される光に使用でき、２つの用途で用いることができる。
（２）表示入力装置で使用するインジケータ用のＬＥＤを利用して、操作部２０の操作状態を検出することが可能になる。これにより、部品点数を低減でき、組み付け性の向上を図ることができる。
（３）受光部の初期設定動作を実施することにより、高精度に操作部２０の操作状態を検出することが可能になる。
【００４０】
以上、本発明のいくつかの実施の形態を説明したが、これらの実施の形態は、一例に過ぎず、特許請求の範囲に係る発明を限定するものではない。また、これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００４１】
１…表示入力装置
１０…表示部
２０…操作部、２０ａ…表面、２０ｂ…透過部、２０ｃ…遮光部、２０ｄ…縁部、２０ｅ…反射部
３０…光源部
４０…      受光部、４１、４２、４３、４４，４５…受光素子
５０…制御部、５２…光源制御部、５４…受光制御部
７０…筐体部、７１…側部、７２…ベース部
Ｄ…変位量、Ｆ…操作力、Ｌ０…光、Ｌ１…反射光、Ｌ２…反射光、Ｓ…変位量、φ…出射角、入射角
【図１】
2019211859.tif 000003
【図２】
2019211859.tif 000004
【図３】
2019211859.tif 000005
【図４】
2019211859.tif 000006
【図５】
2019211859.tif 000007